(57)【要約】      （修正有）【課題】端子と基板の接続箇所が、他の箇所と短絡してしまうことを防止することが可能な技術を提供する。【解決手段】ハウジングと、ハウジング内に収容されているバッテリセル１２と、ハウジング内に配置されている座面５２ａと、ハウジング内に収容されており、座面に載置されている基板１６と、ハウジング内で前記基板に接続されている端子２０ｂと、端子の周囲を囲うように配置されており、基板と座面で挟まれている弾性シート６０を備える、バッテリパック。【選択図】図１０
2020170683.tif 000002
【特許請求の範囲】
【請求項１】
ハウジングと、
前記ハウジング内に収容されているバッテリセルと、
前記ハウジング内に配置されている座面と、
前記ハウジング内に収容されており、前記座面に載置されている基板と、
前記ハウジング内で前記基板に接続されている端子と、
前記端子の周囲を囲っており、かつ前記基板と前記座面で挟まれている弾性シートを備える、バッテリパック。
【請求項２】
前記端子が、前記バッテリセルに接続している、請求項１のバッテリパック。
【請求項３】
前記ハウジング内に収容されており、前記バッテリセルを保持するセルホルダをさらに備えており、
前記座面が、前記セルホルダに形成されている、請求項１または２のバッテリパック。
【請求項４】
前記弾性シートが、前記基板に接着されている、請求項１から３の何れか一項のバッテリパック。
【請求項５】
前記端子が、前記基板に接続されている第１の端子と、前記第１の端子とは別個に前記基板に接続されている第２の端子を備えており、
前記弾性シートが、継ぎ目なく一体的に前記第１の端子と前記第２の端子の周囲を囲う形状を有する、請求項１から４の何れか一項のバッテリパック。
【請求項６】
前記基板が、前記第１の端子と前記基板の接続箇所と前記第２の端子と前記基板の接続箇所の間に切欠きを有する、請求項５のバッテリパック。
【請求項７】
前記基板の前記弾性シートが設けられる面の反対側の面に設けられており、前記端子と前記基板の接続箇所を覆うコーティング剤をさらに備えている、請求項１から６の何れか一項のバッテリパック。
【請求項８】
前記弾性シートが、ゴム、エラストマー、発泡樹脂、スポンジから選ばれた少なくとも１つから構成される、請求項１から７の何れか一項のバッテリパック。
【発明の詳細な説明】
【技術分野】
【０００１】
本発明は、バッテリパックに関する。
【背景技術】
【０００２】
特許文献１に、バッテリパックが開示されている。このバッテリパックは、ハウジングと、前記ハウジング内に収容されているバッテリセルと、前記ハウジング内に配置されている座面と、前記ハウジング内に収容されており、前記座面に載置されている基板と、前記ハウジング内で前記基板に接続されている端子を備えている。
【先行技術文献】
【特許文献】
【０００３】
【特許文献１】特開２０１１−１７１１２５号公報
【発明の概要】
【発明が解決しようとする課題】
【０００４】
上記のようなバッテリパックでは、ハウジングの内部に入り込んだ水等の導電性物質が基板の面に付着して、端子と基板の接続箇所が、他の箇所と短絡してしまうおそれがある。本明細書は、端子と基板の接続箇所が、他の箇所と短絡してしまうことを防止することが可能な技術を提供する。
【課題を解決するための手段】
【０００５】
本明細書はバッテリパックを開示する。前記バッテリパックは、ハウジングと、前記ハウジング内に収容されているバッテリセルと、前記ハウジング内に配置されている座面と、前記ハウジング内に収容されており、前記座面に載置されている基板と、前記ハウジング内で前記基板に接続されている端子と、前記端子の周囲を囲っており、かつ前記基板と前記座面で挟まれている弾性シートを備えていてもよい。
【０００６】
上記の構成によれば、座面に当接する側の基板の面に水等の導電性物質が付着した場合でも、端子と基板の接続箇所が弾性シートによって密閉されているので、端子と基板の接続箇所が他の箇所と短絡してしまうことを防止することができる。また、上記の構成によれば、弾性シートが基板と座面で挟まれているので、弾性シートの密着性をより高めることができる。
【図面の簡単な説明】
【０００７】
【図１】実施例のバッテリパック１０の外観を示す斜視図。
【図２】実施例のバッテリパック１０の分解図。
【図３】実施例のセルホルダ１４の分解図。
【図４】実施例の複数のバッテリセル１２、複数のリード板２０、２２及び回路基板１６の位置関係を示す正面図。
【図５】実施例の複数のバッテリセル１２、複数のリード板２０、２２及び回路基板１６の位置関係を示す左側面図。
【図６】実施例の複数のバッテリセル１２、複数のリード板２０、２２及び回路基板１６の位置関係を示す右側面図。
【図７】実施例の複数のバッテリセル１２、複数のリード板２０、２２及び回路基板１６の位置関係を示す平面図。
【図８】実施例のセルホルダ１４の一部の外観を示す斜視図。
【図９】実施例の回路基板１６の裏面側の外観を示す斜視図。
【図１０】実施例の第１端子部分２０ｂ（第２端子部分２２ｂ）と回路基板１６の接続箇所の構造を示す断面図。
【発明を実施するための形態】
【０００８】
以下では、本発明の代表的かつ非限定的な具体例について、図面を参照して詳細に説明する。この詳細な説明は、本発明の好ましい例を実施するための詳細を当業者に示すことを単純に意図しており、本発明の範囲を限定することを意図したものではない。また、以下に開示される追加的な特徴ならびに発明は、さらに改善されたバッテリパック、その製造方法及び使用方法を提供するために、他の特徴や発明とは別に、又は共に用いることができる。
【０００９】
また、以下の詳細な説明で開示される特徴や工程の組み合わせは、最も広い意味において本発明を実施する際に必須のものではなく、特に本発明の代表的な具体例を説明するためにのみ記載されるものである。さらに、上記及び下記の代表的な具体例の様々な特徴、ならびに、独立及び従属クレームに記載されるものの様々な特徴は、本発明の追加的かつ有用な実施形態を提供するにあたって、ここに記載される具体例のとおりに、あるいは列挙された順番のとおりに組合せなければならないものではない。
【００１０】
本明細書及び／又は特許請求の範囲に記載された全ての特徴は、実施例及び／又はクレームに記載された特徴の構成とは別に、出願当初の開示ならびにクレームされた特定事項に対する限定として、個別に、かつ互いに独立して開示されることを意図するものである。さらに、全ての数値範囲及びグループ又は集団に関する記載は、出願当初の開示ならびにクレームされた特定事項に対する限定として、それらの中間の構成を開示する意図を持ってなされている。
【００１１】
１またはそれ以上の実施形態において、バッテリパックは、ハウジングと、前記ハウジング内に収容されているバッテリセルと、前記ハウジング内に配置されている座面と、前記ハウジング内に収容されており、前記座面に載置されている基板と、前記ハウジング内で前記基板に接続されている端子と、前記端子の周囲を囲っており、かつ前記基板と前記座面で挟まれている弾性シートを備えていてもよい。
【００１２】
上記の構成によれば、座面に当接する側の基板の面に水等の導電性物質が付着した場合でも、端子と基板の接続箇所が弾性シートによって密閉されているので、端子と基板の接続箇所が他の箇所と短絡してしまうことを防止することができる。また、上記の構成によれば、弾性シートが基板と座面で挟まれているので、弾性シートの密着性をより高めることができる。
【００１３】
１またはそれ以上の実施形態において、前記端子は、前記バッテリセルに接続していてもよい。
【００１４】
バッテリセルに接続している端子と基板の接続箇所は、万が一、他の箇所と短絡を生じてしまうと、大電流が流れてしまうので、短絡を確実に防止する必要がある。上記の構成によれば、バッテリセルに接続されている端子と基板との接続箇所が、他の箇所と短絡してしまうことを確実に防止することができる。
【００１５】
１またはそれ以上の実施形態において、前記バッテリパックは、前記ハウジング内に収容されており、前記バッテリセルを保持するセルホルダをさらに備えていてもよい。前記座面は、前記セルホルダに形成されていてもよい。
【００１６】
バッテリセルを保持するセルホルダに座面を形成して、その座面に基板を載置する構成とすると、バッテリパックを小型化することができる。上記の構成によれば、このような構成のバッテリパックにおいて、端子と基板との接続箇所が、他の箇所と短絡してしまうことを防止することができる。
【００１７】
１またはそれ以上の実施形態において、前記弾性シートは、前記基板に接着されていてもよい。
【００１８】
上記の構成によれば、基板に弾性シートを接着した状態で、基板を座面に載置することで、弾性シートを基板と座面で挟み込むことができる。端子と基板の接続箇所に対する弾性シートの位置合わせを容易に行うことができる。
【００１９】
１またはそれ以上の実施形態において、前記端子は、前記基板に接続されている第１の端子と、前記第１の端子とは別個に前記基板に接続されている第２の端子を備えていてもよい。前記弾性シートは、継ぎ目なく一体的に前記第１の端子と前記第２の端子の周囲を囲う形状を有してもよい。
【００２０】
上記の構成によれば、単一の弾性シートによって、第１の端子と基板の接続箇所と、第２の端子と基板の接続箇所を保護することができる。バッテリパックの部品点数を削減することができる。
【００２１】
１またはそれ以上の実施形態において、前記基板は、前記第１の端子と前記基板の接続箇所と前記第２の端子と前記基板の接続箇所の間に切欠きを有してもよい。
【００２２】
上記の構成によれば、第１の端子と基板の接続箇所と、第２の端子と基板の接続箇所の間で短絡が生じてしまうことをより確実に防止することができる。
【００２３】
１またはそれ以上の実施形態において、前記バッテリパックは、前記基板の前記弾性シートが設けられる面の反対側の面に設けられており、前記端子と前記基板の接続箇所を覆うコーティング剤をさらに備えていてもよい。
【００２４】
上記の構成では、基板の一方の面については、弾性シートによって端子と基板の接続箇所が保護され、基板の他方の面については、コーティング剤によって端子と基板の接続箇所が保護される。端子と基板の接続箇所が他の箇所と短絡を生じることを、より確実に防止することができる。
【００２５】
１またはそれ以上の実施形態において、前記弾性シートは、ゴム、エラストマー、発泡樹脂、スポンジから選ばれた少なくとも１つから構成されてもよい。
【００２６】
上記の構成によれば、入手しやすく、成形が容易な材料から弾性シートを用意することができ、バッテリパックの製造コストを低減することができる。
【００２７】
（実施例）
図面を参照して、実施例のバッテリパック１０について説明する。本実施例のバッテリパック１０は、再充電可能な蓄電装置であり、電動工具といった電気機器（図示省略）に電力を供給する電源として、電気機器に着脱可能に取り付けられる。図１、図２に示すように、バッテリパック１０は、複数のバッテリセル１２、複数のバッテリセル１２を保持するセルホルダ１４、及び、セルホルダ１４に固定されているととともに、複数のバッテリセル１２と電気的に接続された回路基板１６を備える。また、バッテリパック１０は、複数のバッテリセル１２、セルホルダ１４及び回路基板１６を収容しているハウジング１８を備える。
【００２８】
複数のバッテリセル１２は、セルホルダ１４によって、互いに平行に保持されている。各々のバッテリセル１２は、再充電可能なバッテリセルである。一例ではあるが、本実施例における各々のバッテリセル１２は、リチウムイオンバッテリセルであり、略４ボルトの公称電圧を有する。また、複数のバッテリセル１２の合計数は３２本であり、互いに並列に接続された２本のバッテリセル１２を一組として、１６組のバッテリセル１２が直列に接続されている。これにより、バッテリパック１０は、略６４ボルトの公称電圧を有している。
【００２９】
セルホルダ１４は、絶縁材料（例えば、樹脂材料）で構成されている。セルホルダ１４には、複数の第１リード板２０及び複数の第２リード板２２が組み込まれている。複数の第１リード板２０は、セルホルダ１４の一方の側壁に配置されており、複数の第２リード板２２は、セルホルダ１４の他方の側壁に配置されている。複数のバッテリセル１２は、複数の第１リード板２０及び複数の第２リード板２２を介して、互いに電気的に接続されている。また、各々の第１リード板２０及び各々の第２リード板２２は、回路基板１６に電気的に接続されている。
【００３０】
回路基板１６は、複数の第１リード板２０及び複数の第２リード板２２を介して、複数のバッテリセル１２に電気的に接続されている。回路基板１６は、各々の第１リード板２０及び各々の第２リード板２２の電圧を検出可能であり、それによって、各々のバッテリセル１２の電圧を把握することができる。加えて、回路基板１６には、電気機器と接続するための複数の外部接続端子２４が設けられている。複数の外部接続端子２４には、一対の電力端子と、いくつかの通信端子とが含まれている。一対の電力端子は、複数のバッテリセル１２と電気的に接続されており、複数のバッテリセル１２からの放電電力を電気機器へ出力する。また、一対の電力端子は、充電器（図示省略）と電気的に接続し、充電器から複数のバッテリセル１２への充電電力を受け入れる。通信端子は、回路基板１６に設けられたプロセッサ（図示省略）に接続されている。
【００３１】
ハウジング１８は、略直方体の外形を有しており、樹脂材料で構成されている。ハウジング１８の上面には、電気機器と係合するための係合構造１８ａや、電気機器の接続端子を受け入れる複数の開口部１８ｂ（例えばスリット）が形成されている。複数の開口部１８ｂの内部には、回路基板１６上の複数の外部接続端子２４がそれぞれ配置されている。なお、ここで説明するハウジング１８の構成は一例であり、ハウジング１８の具体的な構成については適宜変更することができる。
【００３２】
次に、図３を参照して、セルホルダ１４の構造について説明する。セルホルダ１４は、第１ホルダ本体２６と第２ホルダ本体２８とを備える。第１ホルダ本体２６と第２ホルダ本体２８は、複数のバッテリセル１２を挟んで互いに固定されており、複数のバッテリセル１２を平行に保持している。セルホルダ１４はさらに、第１ホルダカバー３０と第２ホルダカバー３２とを備える。第１ホルダカバー３０は、複数の第１リード板２０を挟んで、第１ホルダ本体２６に取り付けられており、複数の第１リード板２０を第１ホルダ本体２６に対して（即ち、複数のバッテリセル１２に対して）固定している。第２ホルダカバー３２は、複数の第２リード板２２を挟んで、第２ホルダ本体２８に取り付けられており、複数の第２リード板２２を第２ホルダ本体２８に対して（即ち、複数のバッテリセル１２に対して）固定している。
【００３３】
第１ホルダカバー３０と複数の第１リード板２０との間には、第１外側防水シート３４が設けられており、複数の第１リード板２０と第１ホルダ本体２６との間には、第１内側防水シート３６が設けられている。第１外側防水シート３４及び第１内側防水シート３６は、シリコーンゴムで構成されており、水分や微細な異物の侵入を禁止する。なお、複数の第１リード板２０は、ラミネート加工により、一対のフィルム間で一体的に保持されている。同様に、第２ホルダカバー３２と複数の第２リード板２２との間には、第２外側防水シート３８が設けられており、複数の第２リード板２２と第２ホルダ本体２８との間には、第２内側防水シート４０が設けられている。第２外側防水シート３８及び第２内側防水シート４０もまた、シリコーンゴムで構成されており、水分や微細な異物の侵入を禁止する。複数の第２リード板２２についても、ラミネート加工により、一対のフィルム間で一体的に保持されている。なお、各々の防水シート３４、３６、３８、４０は、シリコーンゴムに限定されず、例えばポリエチレンフォーム等の発泡樹脂や、エラストマー、ウレタン系のスポンジシートといった他の高分子材料のように、その他の遮水性を有する柔軟な材料で構成されてもよい。
【００３４】
次に、複数の第１リード板２０及び複数の第２リード板２２について詳細に説明する。なお、図４−図６では、セルホルダ１４の図示が省略されている。図４−図６に示すように、複数の第１リード板２０は、第１面Ｐ１に沿って配列されており、複数の第２リード板２２は、第２面Ｐ２に沿って配列されている。そして、複数のバッテリセル１２の各々は、第１面Ｐ１に対向する第１端１２ａと、第１面Ｐ１に平行な第２面Ｐ２に対向する第２端１２ｂとを有する。なお、複数のバッテリセル１２の向きは同一ではない。即ち、一部のバッテリセル１２は、第１端１２ａに正極を有するとともに第２端１２ｂに負極を有し、他のバッテリセル１２は、第１端１２ａに負極を有するとともに、第２端１２ｂに正極を有する。
【００３５】
各々の第１リード板２０は、第１面Ｐ１に沿って位置する第１メイン部分２０ａと、回路基板１６の第１側縁１６ａ近傍で回路基板１６に接続された第１端子部分２０ｂと、第１メイン部分２０ａと第１端子部分２０ｂを接続する第１延伸部分２０ｃを有する。第１メイン部分２０ａは、複数のバッテリセル１２の少なくとも一つの第１端１２ａ（即ち、正極又は負極）に接続されている。特に限定されないが、本実施例では、第１メイン部分２０ａが、少なくとも一つのバッテリセル１２の第１端１２ａにスポット溶接（抵抗溶接）によって接合されている。回路基板１６には、複数の第１端子部分２０ｂのそれぞれに対応して、複数の第１貫通孔１６ｃ（図７、図９、図１０参照）が形成されている。第１端子部分２０ｂは、対応する第１貫通孔１６ｃを介して回路基板１６を裏面側から表面側に貫通しており、回路基板１６にはんだ付けによって接合されている。
【００３６】
同様に、各々の第２リード板２２は、第２面Ｐ２に沿って位置する第２メイン部分２２ａと、回路基板１６の第２側縁１６ｂ近傍で回路基板１６に接続された第２端子部分２２ｂと、第２メイン部分２２ａと第２端子部分２２ｂを接続する第２延伸部分２２ｃを有する。第２メイン部分２２ａは、複数のバッテリセル１２の少なくとも一つの第２端１２ｂ（即ち、正極又は負極）に接続されている。特に限定されないが、本実施例では、第２メイン部分２２ａが、少なくとも一つのバッテリセル１２の第２端１２ｂにスポット溶接（抵抗溶接）によって接合されている。回路基板１６には、複数の第２端子部分２２ｂのそれぞれに対応して、複数の第２貫通孔１６ｄ（図７、図９、図１０参照）が形成されている。第２端子部分２２ｂは、対応する第２貫通孔１６ｄを介して回路基板１６を裏面側から表面側に貫通しており、回路基板１６にはんだ付けによって接合されている。
【００３７】
図７に示すように、回路基板１６の表面側には、第１端子部分２０ｂと回路基板１６の接続箇所、および第２端子部分２２ｂと回路基板１６の接続箇所を覆うように、コーティング剤５０が塗布されている。コーティング剤５０は、例えばウレタン樹脂やエポキシ樹脂からなる。回路基板１６の表面側に水等の導電性物質が付着した場合でも、コーティング剤５０によって、第１端子部分２０ｂや第２端子部分２２ｂが隣接する第１端子部分２０ｂや第２端子部分２２ｂと短絡してしまうことを防止することができる。
【００３８】
図４、図７に示すように、回路基板１６は、第１側縁１６ａからその反対側に位置する第２側縁１６ｂまで、第１面Ｐ１及び第２面Ｐ２と交差して延びている。即ち、本実施例における回路基板１６は比較的に大型であり、第１側縁１６ａから第２側縁１６ｂまでの幅が、バッテリセル１２の長さよりも大きい。
【００３９】
図７に示すように、本実施例のバッテリパック１０では、回路基板１６の第１側縁１６ａに、複数の第１切欠き４２が設けられている。各々の第１切欠き４２は、隣接する二つの第１端子部分２０ｂの間へ延びている。このような構成によると、回路基板１６上における第１端子部分２０ｂ間の絶縁性を高めることができる。同様に、本実施例のバッテリパック１０では、回路基板１６の第２側縁１６ｂにも、複数の第２切欠き４４が設けられている。各々の第２切欠き４４は、隣接する二つの第２端子部分２２ｂの間へ延びている。このような構成によると、回路基板１６上における第２端子部分２２ｂ間の絶縁性を高めることができる。
【００４０】
図８に示すように、本実施例のバッテリパック１０では、第１ホルダ本体２６に、複数の第１リード板２０に対応して、複数の第１支持片５２が形成されている。図１０に示すように、それぞれの第１支持片５２は、セルホルダ１４に回路基板１６を取り付けた時に、対応する第１リード板２０の第１延伸部分２０ｃと回路基板１６との間に介在する。同様に、本実施例のバッテリパック１０では、第２ホルダ本体２８に、複数の第２リード板２２に対応して、複数の第２支持片５４が形成されている。それぞれの第２支持片５４は、セルホルダ１４に回路基板１６を取り付けた時に、第２リード板２２の第２延伸部分２２ｃと回路基板１６との間に介在する。
【００４１】
図８に示すように、本実施例のバッテリパック１０では、第１ホルダカバー３０に、複数の第１支持片５２に対応して、複数の第１支持台５６が形成されている。それぞれの第１支持台５６は、対応する第１支持片５２および第１リード板２０の第１延伸部分２０ｃの周囲を囲う形状に形成されている。同様に、本実施例のバッテリパック１０では、第２ホルダカバー３２に、複数の第２支持片５４に対応して、複数の第２支持台５８が形成されている。それぞれの第２支持台５８は、対応する第２支持片５４および第２リード板２２の第２延伸部分２２ｃの周囲を囲う形状に形成されている。
【００４２】
第１支持片５２は、回路基板１６の裏面に対向する第１内側座面５２ａを備えている。第２支持片５４は、回路基板１６の裏面に対向する第２内側座面５４ａを備えている。第１支持台５６は、回路基板１６の裏面に対向する第１外側座面５６ａを備えている。第２支持台５８は、回路基板１６の裏面に対向する第２外側座面５８ａを備えている。セルホルダ１４に回路基板１６を取り付ける際には、回路基板１６は第１内側座面５２ａ、第２内側座面５４ａ、第１外側座面５６ａおよび第２外側座面５８ａ上に載置された状態で、セルホルダ１４に対して図示しないネジによって固定される。
【００４３】
図９に示すように、回路基板１６の裏面には、第１防水シート６０と、第２防水シート６２が接着されている。第１防水シート６０および第２防水シート６２は、シリコーンゴムで構成されており、水分や微細な異物の侵入を禁止する。第１防水シート６０は、第１側縁１６ａに沿って回路基板１６の長手方向の一方の端部から他方の端部にわたって接着されている。第１防水シート６０は、回路基板１６の第１貫通孔１６ｃのそれぞれの周囲を囲う形状に形成されている。このため、セルホルダ１４に回路基板１６を取り付けた時には、第１防水シート６０は、複数の第１リード板２０の第１端子部分２０ｂのそれぞれの周囲を囲うように配置される。第１防水シート６０によって、回路基板１６の裏面側に水等の導電性物質が付着した場合でも、第１端子部分２０ｂが隣接する第１端子部分２０ｂと短絡してしまうことを防止することができる。第２防水シート６２は、第２側縁１６ｂに沿って回路基板１６の長手方向の一方の端部から他方の端部にわたって接着されている。第２防水シート６２は、回路基板１６の第２貫通孔１６ｄのそれぞれの周囲を囲う形状に形成されている。このため、セルホルダ１４に回路基板１６を取り付けた時には、第２防水シート６２は、複数の第２リード板２２の第２端子部分２２ｂのそれぞれの周囲を囲うように配置される。第２防水シート６２によって、回路基板１６の裏面側に水等の導電性物質が付着した場合でも、第２端子部分２２ｂが隣接する第２端子部分２２ｂと短絡してしまうことを防止することができる。なお、第１防水シート６０と、第２防水シート６２は、シリコーンゴムに限定されず、例えばポリエチレンフォーム等の発泡樹脂や、エラストマー、ウレタン系のスポンジシートといった他の高分子材料のように、その他の遮水性を有する柔軟な材料で構成されてもよい。
【００４４】
図１０に示すように、本実施例のバッテリパック１０では、セルホルダ１４に回路基板１６を取り付けた時に、第１防水シート６０は、第１内側座面５２ａと回路基板１６の裏面によって挟み込まれて押圧されるとともに、第１外側座面５６ａと回路基板１６の裏面によっても挟み込まれて押圧される。これによって、第１防水シート６０による防水性をより高めることができ、回路基板１６上における第１端子部分２０ｂ間の絶縁性をより高めることができる。同様に、本実施例のバッテリパック１０では、セルホルダ１４に回路基板１６を取り付けた時に、第２防水シート６２は、第２内側座面５４ａと回路基板１６の裏面によって挟み込まれて押圧されるとともに、第２外側座面５８ａと回路基板１６の裏面によっても挟み込まれて押圧される。これによって、第２防水シート６２による防水性をより高めることができ、回路基板１６上における第２端子部分２２ｂ間の絶縁性をより高めることができる。
【００４５】
なお、上記の実施例では、バッテリセル１２に接続される第１リード板２０および第２リード板２２と、回路基板１６の接続箇所について、他の箇所との短絡を防止する構成について説明したが、同様の構成を、他の端子と回路基板１６の接続箇所に適用してもよいし、他の端子と他の基板の接続箇所に適用してもよい。
【００４６】
上記の実施例では、回路基板１６を表面側（または裏面側）から平面視したときに、第１側縁１６ａや第２側縁１６ｂが略直線状に伸びており、複数の第１貫通孔１６ｃや複数の第２貫通孔１６ｄが第１側縁１６ａや第２側縁１６ｂに沿って直線的に並んで配置されている。このため、複数の第１端子部分２０ｂと回路基板１６との接続箇所は、第１側縁１６ａに沿って直線的に並んで配置されており、第１防水シート６０は、複数の第１端子部分２０ｂと回路基板１６との接続箇所のそれぞれに対応する貫通孔を有する略長方形の形状を有している。また、複数の第１端子部分２０ｂと回路基板１６との接続箇所は、第２側縁１６ｂに沿って直線的に並んで配置されており、第２防水シート６２は、複数の第２端子部分２２ｂと回路基板１６との接続箇所のそれぞれに対応する貫通孔を有する略長方形の形状を有している。これとは異なり、回路基板１６を表面側（または裏面側）から平面視したときに、第１側縁１６ａや第２側縁１６ｂは略直線状でなくてもよく、複数の第１貫通孔１６ｃや複数の第２貫通孔１６ｄは直線的に並んで配置されていなくてもよい。また、第１防水シート６０は、複数の第１端子部分２０ｂと回路基板１６との接続箇所のそれぞれの周囲を囲う形状であれば、どのような形状で形成されていてもよく、第２防水シート６２は、複数の第２端子部分２２ｂと回路基板１６との接続箇所のそれぞれの周囲を囲う形状であれば、どのような形状で形成されていてもよい。例えば、複数の第１端子部分２０ｂと回路基板１６との接続箇所の近傍や、複数の第２端子部分２２ｂと回路基板１６との接続箇所の近傍に、回路基板１６をセルホルダ１４にネジで固定するためのネジ止め部（図示せず）が設けられている場合、第１防水シート６０や第２防水シート６２は、当該ネジ止め部の近傍を避ける形状に形成されていてもよい。また、複数の第１端子部分２０ｂと回路基板１６との接続箇所の近傍や、複数の第２端子部分２２ｂと回路基板１６との接続箇所の近傍で、回路基板１６に水抜き孔（図示せず）が形成されている場合、第１防水シート６０や第２防水シート６２は、当該水抜き孔の近傍を避ける形状に形成されていてもよい。
【００４７】
以上のように、１またはそれ以上の実施形態において、バッテリパック１０は、ハウジング１８と、ハウジング１８内に収容されているバッテリセル１２と、ハウジング１８内に配置されている第１内側座面５２ａおよび第１外側座面５６ａ（または第２内側座面５４ａおよび第２外側座面５８ａ）（座面の例）と、ハウジング１８内に収容されており、第１内側座面５２ａおよび第１外側座面５６ａ（または第２内側座面５４ａおよび第２外側座面５８ａ）に載置されている回路基板１６（基板の例）と、ハウジング１８内で回路基板１６に接続されている第１端子部分２０ｂ（または第２端子部分２２ｂ）（端子の例）と、第１端子部分２０ｂ（または第２端子部分２２ｂ）の周囲を囲っており、かつ回路基板１６と第１内側座面５２ａおよび第１外側座面５６ａ（または第２内側座面５４ａおよび第２外側座面５８ａ）で挟まれている第１防水シート６０（または第２防水シート６２）（弾性シートの例）を備えている。
【００４８】
上記の構成によれば、第１内側座面５２ａおよび第１外側座面５６ａ（または第２内側座面５４ａおよび第２外側座面５８ａ）に当接する側の回路基板１６の面に水等の導電性物質が付着した場合でも、第１端子部分２０ｂ（または第２端子部分２２ｂ）と回路基板１６の接続箇所が第１防水シート６０（または第２防水シート６２）によって密閉されているので、第１端子部分２０ｂ（または第２端子部分２２ｂ）と回路基板１６の接続箇所が他の箇所と短絡してしまうことを防止することができる。また、上記の構成によれば、第１防水シート６０（または第２防水シート６２）が回路基板１６と第１内側座面５２ａおよび第１外側座面５６ａ（または第２内側座面５４ａおよび第２外側座面５８ａ）で挟まれているので、第１防水シート６０（または第２防水シート６２）の密着性をより高めることができる。
【００４９】
１またはそれ以上の実施形態において、第１端子部分２０ｂ（または第２端子部分２２ｂ）は、バッテリセル１２に接続している。
【００５０】
バッテリセル１２に接続している第１端子部分２０ｂ（または第２端子部分２２ｂ）と回路基板１６の接続箇所は、万が一、他の箇所と短絡を生じてしまうと、大電流が流れてしまうので、短絡を確実に防止する必要がある。上記の構成によれば、バッテリセル１２に接続されている第１端子部分２０ｂ（または第２端子部分２２ｂ）と回路基板１６の接続箇所が、他の箇所と短絡してしまうことを確実に防止することができる。
【００５１】
１またはそれ以上の実施形態において、バッテリパック１０は、ハウジング１８内に収容されており、バッテリセル１２を保持するセルホルダ１４をさらに備えている。第１内側座面５２ａおよび第１外側座面５６ａ（または第２内側座面５４ａおよび第２外側座面５８ａ）は、セルホルダ１４に形成されている。
【００５２】
バッテリセル１２を保持するセルホルダ１４に第１内側座面５２ａおよび第１外側座面５６ａ（または第２内側座面５４ａおよび第２外側座面５８ａ）を形成して、第１内側座面５２ａおよび第１外側座面５６ａ（または第２内側座面５４ａおよび第２外側座面５８ａ）に回路基板１６を載置する構成とすると、バッテリパック１０を小型化することができる。上記の構成によれば、このような構成のバッテリパック１０において、第１端子部分２０ｂ（または第２端子部分２２ｂ）と回路基板１６の接続箇所が、他の箇所と短絡してしまうことを防止することができる。
【００５３】
１またはそれ以上の実施形態において、第１防水シート６０（または第２防水シート６２）は、回路基板１６に接着されている。
【００５４】
上記の構成によれば、回路基板１６に第１防水シート６０（または第２防水シート６２）を接着した状態で、回路基板１６を第１内側座面５２ａおよび第１外側座面５６ａ（または第２内側座面５４ａおよび第２外側座面５８ａ）に載置することで、第１防水シート６０（または第２防水シート６２）を回路基板１６と第１内側座面５２ａおよび第１外側座面５６ａ（または第２内側座面５４ａおよび第２外側座面５８ａ）で挟み込むことができる。第１端子部分２０ｂ（または第２端子部分２２ｂ）と回路基板１６の接続箇所に対する第１防水シート６０（または第２防水シート６２）の位置合わせを容易に行うことができる。
【００５５】
１またはそれ以上の実施形態において、第１端子部分２０ｂ（または第２端子部分２２ｂ）は、複数設けられており、それぞれが別個に回路基板１６に接続されている（第１の端子と第２の端子の例）。第１防水シート６０（または第２防水シート６２）は、継ぎ目なく一体的に、複数の第１端子部分２０ｂ（または第２端子部分２２ｂ）それぞれの周囲を囲う形状を有している。
【００５６】
上記の構成によれば、単一の防水シートによって、複数の第１端子部分２０ｂ（または第２端子部分２２ｂ）と回路基板１６の接続箇所のそれぞれを保護することができる。バッテリパック１０の部品点数を削減することができる。
【００５７】
１またはそれ以上の実施形態において、回路基板１６は、複数の第１端子部分２０ｂ（または第２端子部分２２ｂ）と回路基板１６の接続箇所のそれぞれの間に第１切欠き４２（または第２切欠き４４）（切欠きの例）を有している。
【００５８】
上記の構成によれば、複数の第１端子部分２０ｂ（または第２端子部分２２ｂ）と回路基板１６の接続箇所のそれぞれの間で短絡が生じてしまうことをより確実に防止することができる。
【００５９】
１またはそれ以上の実施形態において、バッテリパック１０は、回路基板１６の第１防水シート６０（または第２防水シート６２）が設けられる面の反対側の面に設けられており、第１端子部分２０ｂ（または第２端子部分２２ｂ）と回路基板１６の接続箇所を覆うコーティング剤５０をさらに備えている。
【００６０】
上記の構成では、回路基板１６の一方の面については、第１防水シート６０（または第２防水シート６２）によって第１端子部分２０ｂ（または第２端子部分２２ｂ）と回路基板１６の接続箇所が保護され、回路基板１６の他方の面については、コーティング剤５０によって第１端子部分２０ｂ（または第２端子部分２２ｂ）と回路基板１６の接続箇所が保護される。第１端子部分２０ｂ（または第２端子部分２２ｂ）と回路基板１６の接続箇所が他の箇所と短絡を生じることを、より確実に防止することができる。
【００６１】
１またはそれ以上の実施形態において、第１防水シート６０（または第２防水シート６２）は、ゴム、エラストマー、発泡樹脂、スポンジから選ばれた少なくとも１つから構成されている。
【００６２】
上記の構成によれば、入手しやすく、成形が容易な材料から第１防水シート６０（または第２防水シート６２）を用意することができ、バッテリパック１０の製造コストを低減することができる。
【符号の説明】
【００６３】
１０    ：バッテリパック
１２    ：バッテリセル
１２ａ  ：第１端
１２ｂ  ：第２端
１４    ：セルホルダ
１６    ：回路基板
１６ａ  ：第１側縁
１６ｂ  ：第２側縁
１６ｃ  ：第１貫通孔
１６ｄ  ：第２貫通孔
１８    ：ハウジング
１８ａ  ：係合構造
１８ｂ  ：開口部
２０    ：第１リード板
２０ａ  ：第１メイン部分
２０ｂ  ：第１端子部分
２０ｃ  ：第１延伸部分
２２    ：第２リード板
２２ａ  ：第２メイン部分
２２ｂ  ：第２端子部分
２２ｃ  ：第２延伸部分
２４    ：外部接続端子
２６    ：第１ホルダ本体
２８    ：第２ホルダ本体
３０    ：第１ホルダカバー
３２    ：第２ホルダカバー
３４    ：第１外側防水シート
３６    ：第１内側防水シート
３８    ：第２外側防水シート
４０    ：第２内側防水シート
４２    ：第１切欠き
４４    ：第２切欠き
５０    ：コーティング剤
５２    ：第１支持片
５２ａ  ：第１内側座面
５４    ：第２支持片
５４ａ  ：第２内側座面
５６    ：第１支持台
５６ａ  ：第１外側座面
５８    ：第２支持台
５８ａ  ：第２外側座面
６０    ：第１防水シート
６２    ：第２防水シート
【図１】
2020170683.tif 000003
【図２】
2020170683.tif 000004
【図３】
2020170683.tif 000005
【図４】
2020170683.tif 000006
【図５】
2020170683.tif 000007
【図６】
2020170683.tif 000008
【図７】
2020170683.tif 000009
【図８】
2020170683.tif 000010
【図９】
2020170683.tif 000011
【図１０】
2020170683.tif 000012